(57)【要約】【課題】ダフリ位置を正確に記録し、練習者に対して正確に伝達できるゴルフ練習用の手段を提供すること、及び、練習者が自分のペースを保ちながら練習することができるように、取り扱いが簡単なゴルフ練習用の手段を提供すること。【解決手段】裏面に接着剤が塗布されたテープ１であって、該テープ１は、その表面に、長手方向に目盛りが付されてなり、ゴルフボール３の後方において引き延ばされた状態で打面２上に貼付可能であり、クラブヘッド４の打突によりその位置Ｐで切断されるものであるゴルフ練習用テープ。【効果】本発明のゴルフ練習用テープは、非常に感度よく正確に且つ的確に切断されるため、ゴルフ上級者の僅かダフリも見逃すことなく確実に伝達できる。【選択図】  図７
2004147851.tif 000002
【特許請求の範囲】
【請求項１】
裏面に接着剤が塗布されたテープであって、該テープは、その表面に、長手方向に目盛りが付されてなり、ゴルフボールの後方において引き延ばされた状態で打面上に貼付可能であり、クラブヘッドの打突によりその位置で切断されるものであることを特徴とするゴルフ練習用テープ。
【請求項２】
前記目盛りは、その丈が長手方向に漸増又は漸減するように付され、且つ、それらが繰り返されるように形成されていることを特徴とする請求項１記載のゴルフ練習用テープ。
【請求項３】
前記ゴルフ練習用テープは、一定の長さごとにミシン目及び／又は切欠きを設けたことを特徴とする請求項１記載のゴルフ練習用テープ。
【請求項４】
前記ゴルフ練習用テープは、その材質が、紙、布、又は合成樹脂製薄膜であることを特徴とする請求項１記載のゴルフ練習用テープ。
【請求項５】
前記ゴルフ練習用テープは、その表面の地色が緑色であり、目盛りが白色又は黄色であることを特徴とする請求項１記載のゴルフ練習用テープ。
【請求項６】
前記目盛りは、蛍光塗料で着色されていることを特徴とする請求項１記載のゴルフ練習用テープ。
【請求項７】
裏面に接着剤が塗布されたテープであって、該テープは、表面の地色が緑色の和紙からなり、その表面に、丈が長手方向に漸増又は漸減するように付され且つそれらが繰り返されるように形成された白色又は黄色の目盛りが長手方向に付されてなり、ゴルフボールの後方において引き延ばされた状態で打面上に貼付可能であり、クラブヘッドの打突によりその位置で切断されるものであることを特徴とするゴルフ練習用テープ。
【発明の詳細な説明】
【０００１】
【発明の属する技術分野】
本発明は、ゴルフ練習用テープに関し、更に詳しくは、ダフリ位置を正確に記録し、練習者に対して正確に伝達でき、取り扱いが簡単なゴルフ練習用テープに関する。
【０００２】
【従来の技術】
ゴルフ愛好者にとって、ゴルフ練習場ではボールを上手にインパクトできるのに、実際にコースに出てみると、ボールより手前の地面にクラブヘッドが食い込んでしまう（いわゆるダフリ現象）のは、しばしば経験されるところである。
また、クラブヘッドがボールの手前の地面に当たってバウンドして、ヘッドがボールの上側に当たってしまうこと（いわゆるトップ現象）もある。
【０００３】
こうしたことが起こるのは、慣れないコースで、ショットの感覚がつかみ難いということも原因として挙げられよう。
しかし、よく観察してみると、こうしたゴルフ愛好者は、既に日頃のゴルフ練習場での練習の段階で、クラブヘッドでボールの手前の地面を叩いている場合が多い。
【０００４】
にもかかわらず、練習場でダフリに気付かないのは、ヘッドが滑り易いような長さに人工芝が切り揃えられていたり、人工芝の下のゴム層を硬くしたりしており、ダフってもボールをうまくインパクトできるように調整されているからである。
このように、ゴルフ練習場では注意して練習しないと、正確なインパクトがなされておらず、自分がダフって打っていることに気が付かない。
【０００５】
そこで、練習者がダフリを認識できるように、ダフったらその位置がマット上に記録されるようなゴルフ練習用マット等が、多数上市されている。
例えば、マットの打面に形成した人工芝に、熱によって変色する示温材料を含有・混合させておき、クラブヘッドと人工芝とが擦れて人工芝の温度が上昇すると示温材料が変色するタイプのゴルフ練習用マットが提案されている（例えば、特許文献１乃至３等参照）。
【０００６】
このタイプの練習用マットは、ダフると、人工芝とクラブヘッドとの摩擦熱でその部分が変色するためダフリ位置を確認でき、冷めて常温に戻るとそれに伴って自動的に変色した状態が消えて元の緑色に戻るため、繰り返しショット練習ができる。
しかし、このタイプの練習用マットは、示温材料の選択次第で、人工芝の変色が速やかに消えてしまったり、反対に、必要以上に長時間変色した状態が残存したりする欠点がある。
【０００７】
練習者は、ショットした後、しばらくの間打球の曲がり具合や落下位置等を確認するものだが、例えば、示温材料として変色した状態が速やかに消えるタイプのものを用いた場合、上記確認をしている間にも変色状態が徐々に消えていく。
そのため、確認後、練習者がマットを見た時には、実際にダフった面積より小さな面積の痕跡しか残っておらず、実際よりボールに近い位置からダフり始めたように誤解されてしまう可能性がある。
【０００８】
また、上級者でも、ボールの手前で僅かに地面や芝を擦ることがあるが、そのような場合には、上記確認後マットに目を向けると既に変色状態が消えていて、擦っていないという誤ったメッセージを練習者に伝えてしまうことも生じ得る。
反対に、練習用マット上の変色状態が数分間も消えないようでは、１回のショットに時間が掛かって練習効率が悪くなると同時に、練習者も自分のペースで打てないため、落ち着いて練習し難い。
また、折角うまくショットできたのに、次の打球までに時間が掛かってその感覚が失われてしまうと、効果的な練習にならない。
【０００９】
他の従来例としては、上記練習用マットの代わりに表示板を備え、クラブヘッドでこの表示板の表面の半透明片を加圧すると（即ちダフると）、半透明片の加圧された部分がその直下の着色付着片に付着して、その部分が着色したように見え、ヘッドの軌跡が記録されるゴルフショット練習器が提案されている（特許文献４参照）。
【００１０】
しかし、こうした表示板は、付着した半透明片と着色付着片とを引き剥がさなければならず、何度も引き剥がすうちに着色付着片の付着力が弱まってヘッドの軌跡が残らなくなる場合がある。
また、何度もクラブヘッドで半透明片を叩くうちに半透明片の表面が傷ついてしまい、耐久性の点で必ずしも十分とは言い難い。
【００１１】
また、マット上に升目状に皮片等を貼付し一部縫い合わせたゴルフ練習用マットも提案されているが（特許文献５参照）、ダフると、数ｃｍ四方の皮片等ごとめくれてしまうため、ダフリ位置が正確には記録されない。
しかも、皮片等がマットに一部縫い合わされているとはいえ、何回もダフるうちに千切れる等するため、必ずしも耐久性がよいとは言えない。
【００１２】
以上をまとめると、従来の練習用マットや表示板には、便利な点もあるが、次のような欠点が指摘できる。
▲１▼必ずしもダフリ位置を正確に記録し或いは練習者に正確に伝えるものとは言えない。
【００１３】
▲２▼練習用マットや表示板は、クラブヘッドで何回、何十回（或いは何百回）と叩かれたり擦られたりするが、耐久性の点から見て、こうした度重なる衝撃に十分耐えられるものであるとは必ずしも言えない。
【００１４】
▲３▼練習用マットや表示板は、なかなか変色した状態が消えるまで待たなければならなかったり、ショット毎にいちいち付着した半透明片と着色付着片とを引き剥がさなければならなかったりするため、練習者が自分のペースで練習することの妨げになりかねない場合もある。
【００１５】
【特許文献１】
実開平５−８４３６１号公報
【特許文献２】
特開平７−５７９号公報
【特許文献３】
特開平７−３１７０７号公報
【特許文献４】
実開昭４９−１１８６８号公報
【特許文献５】
実開平３−１５５８１号公報
【００１６】
【発明が解決しようとする課題】
ゴルフの上達にとって必要なのは、第一に、自分がダフっていることを正確に認識することである（上記▲１▼に対応）。
ダフリを正確に認識し、スイングを修正してダフリを解消することが、ゴルフ上達の第一関門である。
そして、第二に、自分のペースを守りながら、ショットのタイミングや感覚を体に覚え込ませることである（上記▲３▼に対応）。
【００１７】
ゴルフ練習用の機器や手段は、言うまでもなく練習者の練習を補助するためのものであるから、当然、これらのことを保証するものでなければならない。
つまり、ダフリ位置を正確に記録して練習者に対して確実に伝達するものであること、及び徒に練習者に調整等の手間を掛けさせて練習のペースを乱さないものであること、が求められる。
【００１８】
また、先述したように（上記▲２▼参照）、こうした機器や手段は、クラブヘッドで何度も叩かれ擦られるものであるから、耐久性を向上させても、いずれ故障したり破壊されたりすることは避け難い。
それならば、逆に、積極的に壊れることを前提とした上で、上記の点の実現に徹すれば、こうした機器や手段を、より構造を簡単なものとし、より安価なものとすることが可能となる。
【００１９】
本発明は、かかる実状を背景に、上記問題点を克服するためになされたものである。
すなわち、本発明の目的は、ダフリ位置を正確に記録し、練習者に対して正確に伝達できるゴルフ練習用の手段を提供することである。
そして、練習者が自分のペースを保ちながら練習することができるように、取り扱いが簡単なゴルフ練習用の手段を提供することである。
【００２０】
【課題を解決するための手段】
かくして、本発明者は、このような課題背景に対して、鋭意研究を重ねた結果、テープを用いれば、繰り返し千切って使っても、コスト的に大した負担にはならず、しかも、意外にもクラブヘッドが打突した位置で瞬時に的確に切断されるため、上記のダフリ位置を正確に記録することができることを見出し、この知見に基づいて本発明は完成させたものである。
このように、ゴルフ練習用にテープを用いてダフリ位置を正確に記録しようとするのは、かつて例を見ない。
【００２１】
即ち、本発明は、（１）、裏面に接着剤が塗布されたテープであって、該テープは、その表面に、長手方向に目盛りが付されてなり、ゴルフボールの後方において引き延ばされた状態で打面上に貼付可能であり、クラブヘッドの打突によりその位置で切断されるものであるゴルフ練習用テープに存する。
【００２２】
そして、（２）、前記目盛りは、その丈が長手方向に漸増又は漸減するように付され、且つ、それらが繰り返されるように形成されているゴルフ練習用テープに存する。
【００２３】
そしてまた、（３）、前記ゴルフ練習用テープは、一定の長さごとにミシン目及び／又は切欠きを設けたゴルフ練習用テープに存する。
【００２４】
そしてまた、（４）、前記ゴルフ練習用テープは、その材質が、紙、布、又は合成樹脂製薄膜であるゴルフ練習用テープに存する。
【００２５】
そしてまた、（５）、前記ゴルフ練習用テープは、その表面の地色が緑色であり、目盛りが白色又は黄色であるゴルフ練習用テープに存する。
【００２６】
そしてまた、（６）、前記目盛りは、蛍光塗料で着色されているゴルフ練習用テープに存する。
【００２７】
そしてまた、（７）、裏面に接着剤が塗布されたテープであって、該テープは、表面の地色が緑色の和紙からなり、その表面に、丈が長手方向に漸増又は漸減するように付され且つそれらが繰り返されるように形成された白色又は黄色の目盛りが長手方向に付されてなり、ゴルフボールの後方において引き延ばされた状態で打面上に貼付可能であり、クラブヘッドの打突によりその位置で切断されるものであるゴルフ練習用テープに存する。
【００２８】
本発明はこの目的に沿ったものであれば、上記１〜７の中から選ばれた２つ以上を組み合わせた構成も当然採用可能である。
【００２９】
【発明の実施の形態】
以下、図面に基づき、本発明のゴルフ練習用テープの好適な実施の形態について述べる。
図１は、人工芝等の打面上に貼付した状態のゴルフ練習用テープを上方から見た図である（矢印はボールが打ち出される方向）。
【００３０】
ゴルフ練習用テープ１は、裏面に粘着剤が塗布されており、人工芝等の打面２上に載置されたゴルフボール３の後方に引き延ばされた状態で貼付可能である。
このようにボール３の後方に貼付しておけば、ショットの際にダフってクラブヘッドがボール３より手前に入った場合には、確実に、クラブヘッドがゴルフ練習用テープ１を打突する（又は擦る）こととなる。
【００３１】
後で詳しく述べるように、この際、ゴルフ練習用テープ１がクラブヘッドに引きずられて前方に移動したり、打突位置とは別の箇所で切断されたりすることはなく、テープ１がその打突位置で正確に切断されるのである。
このように、本発明のゴルフ練習用テープは、クラブヘッドの打突によりその位置で切断されるものであり、打突位置、即ちダフリ位置を正確に記録できるものである。
【００３２】
また、ゴルフ練習用テープ１は、その表面に、テープ１の長手方向に目盛り１１（例えば垂直な目盛り）が付されてなる。
このように目盛り１１を付すことにより、練習者は、ゴルフ練習用テープ１が切断された位置（ダフリ位置）を正確に認識することが可能となる。
【００３３】
この実施形態においては、１ｃｍ間隔の目盛り１１（線幅は２ｍｍ）の丈（長さ）が、ボール側から見た場合、テープ１の長手方向に漸増するように付され、且つ、それらが５ｃｍごとに繰り返されるように形成されている。
目盛り１１をこのように形成すると、ダフリ位置が一目瞭然に把握でき、好ましい（図２参照）。
【００３４】
ゴルフ練習用テープ１の目盛り１１は、これ以外にも、例えば、図３に示すように、ボール側から見た場合に、その丈がテープ１の長手方向に漸減するように繰り返して付されてもよいし〔図３（Ａ）参照〕、或いはテープ１の中心線について対称に漸増（又は漸減）するように形成されてもよい〔図３（Ｂ）参照〕。
【００３５】
このようにして、ゴルフ練習用テープ１は、練習者に、ダフリ位置を正確に伝えることができる。
以上のように、本発明のゴルフ練習用テープは、ダフリ位置を正確に記録するものであり、しかも、ショット後、打球の曲がり具合や落下位置を確認する等して時間が十分に経過した後でも、ダフリ位置を練習者に正確に伝達できるものである。
【００３６】
因みに、図２で点線にて示されたゴルフ練習用テープ１の切断された部分１２は、後述するように、クラブヘッドに付着するため、前方に飛ばされてしまうことはない。
そのため、ショット後、ダフリ位置を確認してから又はダフリ位置を確認しながら、ゆっくりとクラブヘッドから剥がして除去することができる。
【００３７】
さて、ゴルフ練習用テープ１は、不使用時には、通常の粘着テープと同様に、芯に巻き取られた状態になっている。
そのため、上記のように、人工芝等の打面２上に載置されたゴルフボール３の後方に引き延ばされた状態で貼付して使用する際、ゴルフ練習用テープ１を一定長さに切り離さずに、ある程度の長さ分だけ引き延ばして打面２上に貼付していき、その後方に巻き取られた状態のテープ部分（巻取り部１３）を打面上に置くようにして使用することができる（図４参照）。
【００３８】
このようにして使用すると、ダフってテープ１が切断されたら、次のショットの際には、その切断部位（前回のショット時のボール位置から数ｃｍ下がった位置）にボールを置いてショットすることができる。
そのため、ゴルフ練習用テープ１を一度貼付すれば、剥がすことなく数回続けてショットすることが可能となる。
【００３９】
また、ゴルフ練習用テープ１は、図１等に示したように、切り離して使用することも可能である。
この際、ゴルフ練習用テープ１に、一定の長さごとに、例えば２０ｃｍ間隔でミシン目１４又は切欠き１５、又はその両方を設けておけば、現場にてゴルフ練習用テープ１を片手で簡単に切り離すことができ、好ましい〔図５（Ａ）（Ｂ）（Ｃ）参照〕。
【００４０】
このように、ゴルフ練習用テープ１は、巻取り部１３から切り離さずに使用にしても（図４参照）、また、ミシン目１４等を設けて切り離して使用しても（図１等参照）、いずれの場合でも、容易に取り扱うことができる。
そのため、練習者は、思い通りに自分のペースに合わせてゴルフ練習用テープ１を切り離したり貼付したりして使用することができるため、マイペースで集中して練習することが可能となる。
【００４１】
ここで、ゴルフ練習用テープ１の材質は、通常の取り扱いにおいては丈夫であり、しかも打突により切断されるような材質が好ましく、紙、布、又は合成樹脂製薄膜（フィルム）等が採用される。
中でも、和紙は、適度な強度を有するため通常の取り扱いで破損し難く、また表面が適度にざらついており、クラブヘッドが滑らず打突位置で的確に切断されるため、好ましく使用される。
【００４２】
また、ゴルフ練習用テープ１の材質として合成樹脂製薄膜を採用する場合には、薄膜の製造の際の延伸配向方向Ｌがテープ１の長手方向に垂直な方向になるようにテープ１を形成するのが好ましい（図６参照）。
このように形成することで、テープ１がより容易に且つ確実に切断される。
【００４３】
ゴルフ練習用テープ１は、打面２上に貼付しても目立たないように、その表面の地色が緑色であるとよい。
また、目盛り１１の線の色を白色や黄色等にすれば、練習者にダフリ位置がより把握され易くなるため好ましく、また夜間練習等のためには目盛り１１の線を白色や黄色等の蛍光塗料で着色することが好ましい。
【００４４】
ゴルフ練習用テープ１の幅は、狭くするほど切断し易くなり好ましいがダフリ位置が認識し難くなり、逆に、テープ幅を広くするほど、ダフリ位置やクラブヘッドが入った角度等が把握し易くなり好ましいが、一方ではテープ１が切断され難くなる。
材質にもよるが、ゴルフ練習用テープ１の幅としては、通常、１ｃｍ〜５ｃｍ程度のものが採用される。
【００４５】
次に、ゴルフ練習用テープを打面上に貼付し、クラブヘッドにより打突された（ダフった）場合について述べ、このゴルフ練習用テープの機能、特に、打突された位置で的確に切断されるという特徴的な機能について述べる。
図１に示したように、ゴルフ練習用テープは、打面上に載置されたゴルフボールの後方に引き延ばされた状態で貼付して使用される。
【００４６】
図７は、ショットの際のクラブヘッドの打突によりゴルフ練習用テープが切断された直後の状態を示す図である。
尚、図では便宜的にゴルフ練習用テープ１を実際より分厚く示した。
クラブヘッド４は、ボール３の後方上部から前方のボール３に向かう方向（図中の矢印方向）に非常に大きな速度で振り下ろされ、ダフリ位置Ｐで、打面２上に貼付されたゴルフ練習用テープ１を打突する。
【００４７】
この際、ゴルフ練習用テープ１は、クラブヘッド４から前向きに、瞬間的且つ局所的な強い力を受けるため、ダフリ位置Ｐで正確に切断されるのである。
これは、物の一点に（即ち局所的に）瞬間的に強い力が加わると、その物全体に力の効果が波及する前に局所的な破壊が生じることを利用したものである。
【００４８】
このようにして、本発明のゴルフ練習用テープ１は、ダフリ位置Ｐで正確に切断され、しかも、テープ１のダフリ位置Ｐより後方の部分（後方部分１６）が引きずられて前方に移動することなく元の位置に留まる（図７参照）。
そのため、打面２上に残ったテープ１の最前端の切断位置が、ダフリ位置Ｐとして正確に記録され（図２参照）、練習者はダフリ位置Ｐを的確に把握することができるのである（図２参照）。
【００４９】
また、本発明のゴルフ練習用テープ１は、上記のようにクラブヘッド４の打突により瞬時に切断されるため、練習者は、テープをクラブヘッドで切断したりダフリ位置Ｐより前側のテープ部分（前方部分１７）を打面から引き剥がしたりするのをほとんど感じることなく、ショットすることができる。
つまり、本発明によれば、練習者は、ほとんどテープを意識することなく、通常、芝上のボールを打つのと同じ感覚で打つことができる。
【００５０】
本発明のゴルフ練習用テープ１は、ボール３の手前をほんの僅かに擦る程度のダフリでも切断されるほど感度のよいものであることが分かっている。
実際、和紙からなるゴルフ練習用テープを用いた実験では、ダフっているという認識のないゴルフ上級者が、実際には僅かに打面を擦っており、ボールの手前約４ｃｍのところでテープが切断された。
【００５１】
このように、本発明のゴルフ練習用テープは、クラブヘッドからテープにかかる瞬間的且つ局所的な力によって切断されるため、上記のように非常に感度よく正確に且つ的確に切断される。
従って、ゴルフ上級者にも、ダフリの有無を確実に伝達し得るものである。
【００５２】
尚、打面２を構成する人工芝は、通常、塩化ビニル製やポリプロプレン製であるため、ゴルフ練習用テープ１に塗布される粘着剤は、通常用いられる天然ゴムや合成ゴム、アクリル等の粘着剤であれば、人工芝と適度に粘着し、ダフリ位置Ｐの後方の部分１６が引きずられるのをほぼ完全に阻止しうることが実験的に確認されている。
また、こうした粘着剤を用いれば、打面２からテープ１を簡単に引き剥がすことができるため、ゴルフ練習用テープを打面に貼付したり剥がしたりすることはほとんど練習の進行の妨げにはならない。
【００５３】
ゴルフ練習用テープの使い方としては、図２のようにダフって切断されるごとに剥がして新たにテープを貼り直してもよいし、テープ１枚につき２、３回ダフってから貼り直してもよい。
また、ダフって切断されたテープを打面に貼付したままにしておき、別の箇所に新たなテープを貼付して練習し、切断されたテープが打面上に数枚たまったところで一度に剥がすことも（美観上の問題はあるが）可能である。
【００５４】
ここで、参考までに、ゴルフ練習用テープ１の前方部分１７がクラブヘッド４に付着し、ショットにより前方に飛ばされるのが阻止されることについて述べる。
図７に示したように、クラブヘッド４は、ボール３の後方上側からゴルフ練習用テープ１に打ち込まれてテープ１を切断し、その先端部分がテープ１の前方部分１７の下側に潜り込む。
【００５５】
テープ１の下側、即ちテープの裏面には、先述したように粘着剤が塗布されているから、打面２から引き剥がされたテープ１は、今度はクラブヘッド４の先端部分に付着する。
クラブヘッド４がゴルフ練習用テープ１の前方部分１７を打面２から剥ぎ取りながらボール３に向かって前進する間に、テープの前方部分１７は、クラブヘッド４の先端部分に強く押し付けられ、その部分にしっかりと粘着される。
【００５６】
そのため、クラブヘッド４がボールをインパクトし、ボールが前方に飛んでいっても、テープの前方部分１７はクラブヘッド４の先端部分にしっかりと粘着したまま、まず飛ばされることはない（図８参照）。
従って、練習者は、打球の曲がり具合や落下位置等を確認した後、ゆっくりとクラブヘッドからゴルフ練習用テープの前方部分を取り除くことができるのである。
【００５７】
以上、本発明を説明してきたが、本発明は実施形態にのみ限定されるものではなく、その本質を逸脱しない範囲で、他の種々の変形例が可能であることは言うまでもない。
例えば、ゴルフ練習用テープに付する目盛りは、通常の物差や巻尺に付されているような目盛り、即ち１〜４番目の目盛り線の長さが一定で５番目の目盛り線だけが他より長い目盛りが繰り返された目盛りとしてもよい。
また、例えば、目盛りに１から５の数字を繰り返して付してもよい。
【００５８】
また、上記実施形態においては、打面として人工芝を用いた場合のみを想定したが、本発明のゴルフ練習用テープは、天然芝や通常のゴルフコースにおいても、更にはテープの貼付が可能な面を有するところであればどこでも適用可能である。
その際、テープの材料や塗布される粘着剤は、その機能を発揮しうる限り、上記材料等以外からも適宜選択され使用されることは言うまでもない。
【００５９】
【発明の効果】
本発明によれば、ダフリ位置を正確に記録し、練習者に対して正確に伝達できるゴルフ練習用の手段を提供することが可能となる。
そして、このゴルフ練習用テープを用いれば、取り扱いが簡単であり、練習者が自分のペースを保ちながら練習することができる。
【００６０】
また、本発明のゴルフ練習用テープは、非常に感度よく正確に且つ的確に切断されるため、ゴルフ上級者の僅かダフリも見逃すことなく確実に伝達できる。
【図面の簡単な説明】
【図１】図１は、人工芝上に貼付した状態のゴルフ練習用テープを上方から見た図である。
【図２】図２は、ダフってゴルフ練習用テープが切断された後の状態を示す図である。
【図３】図３は、ゴルフ練習用テープの目盛りを、（Ａ）その丈がテープの長手方向に漸減するように繰り返して付された状態、（Ｂ）テープの中心線について対称に漸増するように形成した状態、を示す図である。
【図４】図４は、ゴルフ練習用テープを切断せずに巻取り部１３を後方に載置した状態を横から見た図である。
【図５】図５は、ゴルフ練習用テープ１に、（Ａ）ミシン目を設けた場合、（Ｂ）切欠きを設けた場合、（Ｃ）ミシン目及び切欠きを設けた場合を示す図である。
【図６】図６は、合成樹脂製薄膜の延伸配向方向がゴルフ練習用テープの長手方向に垂直な方向になるように形成した状態を示す図である。
【図７】図７は、ショットの際のクラブヘッドの打突によりゴルフ練習用テープが切断された直後の状態を示す図である。
【図８】図８は、ボールをインパクトした後、クラブヘッドに前方部分が付着している状態を示す図である。
【符号の説明】
１…ゴルフ練習用テープ
１１…目盛り
１２…切断された部分
１３…巻取り部
１４…ミシン目
１５…切欠き
１６…後方部分
１７…前方部分
２…打面
３…ゴルフボール
４…クラブヘッド
Ｌ…薄膜の延伸方向
Ｐ…ダフリ位置
【図１】
2004147851.tif 000003
【図２】
2004147851.tif 000004
【図３】
2004147851.tif 000005
【図４】
2004147851.tif 000006
【図５】
2004147851.tif 000007
【図６】
2004147851.tif 000008
【図７】
2004147851.tif 000009
【図８】
2004147851.tif 000010